(57)【要約】      （修正有）【課題】面状発熱シートより放射される熱を効率よく培養基に伝えることができて省エネルギー化に資することができ、しかも土壌栽培や水耕栽培に使用可能な適用範囲の広い農業用ヒータを提供する。【解決手段】農業用ヒータ１を、一側面に赤外線反射構造を設けた面状発熱シートよりなるヒータ部材３と、同ヒータ部材３を装着できるようにしてなる半円筒状本体２とで構成し、ヒータ部材３の表裏両面から放射される熱を、赤外線反射構造を設けていない一側面だけから放射させて、培養基を効率よく加温することができるようにした。【選択図】  図１
2008079572.tif 000002
【特許請求の範囲】
【請求項１】
面状発熱シートよりなるヒータ部材と、同ヒータ部材を内外いずれか一側面に装着できるようにしてなる半円筒状本体とを備え、前記面状発熱シートの一側面に赤外線反射構造を設けてなる農業用ヒータ。
【請求項２】
前記ヒータ部材を、６〜１４μｍの波長の遠赤外線を放射できる面状発熱シートで構成してなる請求項１に記載の農業用ヒータ。
【請求項３】
前記半円筒状本体に、同半円筒状本体の内外いずれか一側面を覆う保護カバーを設け、半円筒状本体と保護カバーとの間に前記ヒータ部材を挟み込んでなる請求項１に記載の農業用ヒータ。
【請求項４】
前記保護カバーは、同保護カバーの長手方向の一側辺が前記半円筒状本体の一側辺に接続されて他側辺側が開閉できるフラップ状に設けられ、また保護カバーと半円筒状本体の他側辺どうしを係着可能に設けてなる請求項３に記載の農業用ヒータ。
【請求項５】
前記係着部は、前記半円筒状本体の他側辺が折り返されてなる折り返し端部を有し、同折り返し端部の隙間に前記保護カバーの他側辺を嵌入して挿着できるように構成してなる請求項４に記載の農業用ヒータ。
【請求項６】
前記ヒータ部材における赤外線反射構造を設けた一側面を、前記半円筒状本体の外側面に当接させてヒータ部材からの熱が半円筒状本体の外側に放射されるように構成してなる請求項１に記載の農業用ヒータ。
【請求項７】
前記ヒータ部材における赤外線反射構造を設けていない他側面を、前記半円筒状本体の外側面と当接させてヒータ部材からの熱が半円筒状本体の内側に放射されるように構成してなる請求項１に記載の農業用ヒータ。
【発明の詳細な説明】
【技術分野】
【０００１】
本発明は、寒冷地もしくは冬場において農作物を栽培する際に、畑の土等の培養基の温度を栽培する作物に適した温度に調整するために用いる農業用ヒータに関し、より詳しくは、土壌栽培、さらには水耕栽培でも使用可能な農業用ヒータに関する。
【背景技術】
【０００２】
従来、寒冷地で農作物を栽培する際は、面状発熱シートを土の上に敷いてこの面状発熱シートで土を暖め、土の温度を栽培に適した温度に調整して作物を栽培している（例えば、特許文献１参照）。
【０００３】
しかしながら、この土の上に敷いた面状発熱シートで土の中を暖めた場合、土の表面側に位置する面状発熱シートの下面からの熱は土中に伝わるが、面状発熱シートの上面は空気（冷気）と接しているため、この面状発熱シートの上面からの熱は土中に伝わることがない。
【０００４】
そして、この空気（冷気）と接している面状発熱シートの上面は常に空気（冷気）によって冷却されているので、面状発熱シートの下面だけで土の温度を一定に保つには、空気（冷気）によって冷却され続ける面状発熱シートの上面から奪われる熱を補いながら面状発熱シートの下面で土の中を暖めるので、面状発熱シートによる土の加温は効率が悪く、多くの無駄な電力を消費し、省エネルギー化に抗するものであった。
【０００５】
【特許文献１】実開平７−３１３４１号公報（第１〜３頁、図１〜図６）
【発明の開示】
【発明が解決しようとする課題】
【０００６】
本発明は、面状発熱シートより放射される熱を効率よく土等の培養基に伝えることができるようにし、また、土壌栽培さらには水耕栽培でも使用可能な農業用ヒータを提供できるようにした。
【課題を解決するための手段】
【０００７】
上述した課題を解決するために、本発明に係る農業用ヒータは、面状発熱シートよりなるヒータ部材と、同ヒータ部材を内外いずれか一側面に装着できるようにしてなる半円筒状本体とを備え、前記面状発熱シートの一側面に赤外線反射構造を設けて構成したものとしてある。
【０００８】
また前記ヒータ部材を、６〜１４μｍの波長の遠赤外線を放射できる面状発熱シートで構成したものとしてある。
【０００９】
また前記半円筒状本体に、同半円筒状本体の内外いずれか一側面を覆う保護カバーを設け、半円筒状本体と保護カバーとの間に前記ヒータ部材を挟み込んで構成したものとしてある。
【００１０】
さらに前記保護カバーは、同保護カバーの長手方向の一側辺が前記半円筒状本体の一側辺に接続されて他側辺側が開閉できるフラップ状に設けられ、また保護カバーと半円筒状本体の他側辺どうしを係着可能に設けて構成したものとしてある。
【００１１】
また前記係着部は、前記半円筒状本体の他側辺が折り返されてなる折り返し端部を有し、同折り返し端部の隙間に前記保護カバーの他側辺を嵌入して挿着できるように構成したものとしてある。
【００１２】
また前記ヒータ部材における赤外線反射構造を設けた一側面を、前記半円筒状本体の外側面に当接させてヒータ部材からの熱が半円筒状本体の外側に放射されるように構成したものとしてある。
【００１３】
また前記ヒータ部材における赤外線反射構造を設けていない他側面を、前記半円筒状本体の外側面と当接させてヒータ部材からの熱が半円筒状本体の内側に放射されるように構成したものとしてある。
【発明の効果】
【００１４】
本発明の農業用ヒータによれば、ヒータ部材の赤外線反射構造を設けた面から放射される熱（赤外線）がこの赤外線反射構造によって反射され、この反射された熱がヒータ部材の赤外線反射構造を設けていない他側面から放射される熱とともにその他側面側の土等の培養基に放射されるので、土等の培養基の加温を効率よく行うことができる。
【００１５】
そして、ヒータ部材の表裏両面より放射される熱の多くを、この熱を必要とする方向の土等の培養基へ放射できるので、従来に比してヒータ部材の電力消費量を小なるものとすることができ、したがって省エネルギー化に貢献できる。
【００１６】
また、ヒータ部材に、生育光線、健康光線と呼ばれる６〜１４μｍの波長の遠赤外線を放射できる面状発熱シートを用いることにより、作物の細胞の代謝が活発になって生育が促進されるので、収穫量増加とともに品質も向上する。
【００１７】
さらに、ヒータ部材を、半円筒状本体に配設する保護カバーとの間に挟み込んで設置することで、農業用ヒータに作物の手入れ中の道具が接触した場合、この保護カバーが道具の接触からヒータ部材を保護するので安全が向上する。
【００１８】
そして、本農業用ヒータの使用に際し、赤外線反射構造を設けた一側面を半円筒状本体の外側面に当接させてヒータ部材をセットすることで、ヒータ部材からの熱が半円筒状本体の外側に放射されるので、したがって畝での埋設使用に適する形態になる。
【００１９】
また本ヒータの使用に際し、赤外線反射構造を設けていない他側面を半円筒状本体の外側面に当接させてヒータ部材をセットすることで、ヒータ部材からの熱が半円筒状本体の内側に放射されるので、半円筒状本体を上下逆さに反転させ、この反転させた半円筒状本体の筒内に水を張れば水耕栽培での使用に適する形態になる。
【００２０】
したがって、ヒータ部材の表裏のセット方向を変更することにより、容易に農業用ヒータの使用形態を選択することができ、広範な用途に対して好適に使用することができる。
【発明を実施するための最良の形態】
【００２１】
以下、本発明の農業用ヒータを添付図面に基づいて説明する。また、添付図面ではヒータ部材３における電源ケーブル等の電気配線の図示は省略する。
図１は、本発明に係る農業用ヒータの一例を示す斜視図であり、農業用ヒータ１は、半円筒状本体２の外側面とこの半円筒状本体２に配設する保護カバー４との間にヒータ部材３を挟着している。
【００２２】
ヒータ部材３の半円筒状本体２における配置は、図２に示すように、半円筒状本体２の外側面の保護カバー４の基部４ａ付近と、半円筒状本体２の折り返し端部２ａ付近との間に位置するように配置している。
【００２３】
また、保護カバー４の構造は、同じく図２に示すように、基部４ａを支点に開閉できるようにしていて、ヒータ部材３を半円筒状本体２に配置した後、図３に示すように、保護カバー４の自由端部を半円筒状本体２の折り返し端部２ａに嵌め入れて、図４に示すように、ヒータ部材３の一側面を半円筒状本体２に、かつ他側面も保護カバー４に接するようにして固定できるようにしている。
【００２４】
また、半円筒状本体２の湾曲面において、添付図面に示すものはその全体を同じ曲率で形成しているが、略逆Ｕ字状に形成する場合もある。
【００２５】
また、保護カバー４は、半円筒状本体２の湾曲面とほぼ同じか少し大の曲率で形成したり、あるいは軟質素材でほぼ平坦に形成して保護カバー４の装着動作によって半円筒状本体２に配置するヒータ部材３面に接していくように構成したりする場合もある。
【００２６】
前記半円筒状本体２の素材は、適宜な素材を用いればよく、例えばＰＶＣ（ポリ塩化ビニル）素材を用いる。またＰＶＣ素材を用いる場合、図３（ａ）、図３（ｂ）および図４に示すように、可動部や防水性を要する部位等には軟質ＰＶＣ（軟質部２ｄ）を付加する場合がある。
【００２７】
前記ヒータ部材３は図５に示すように、面状発熱シート３ａをフィルム３ｂ、３ｃで表裏両面側から被覆していて、また、アルミ蒸着等の赤外線反射構造（赤外線反射部３ｄ）をその被覆フィルム３ｃのヒータ部材３と接する面側に配設している。
【００２８】
上述のように構成した本発明のヒータは、図６に示すように、畝５の土６に埋設して使用したり、図７に示すように、半円筒状本体２を上下逆さにして水耕栽培に使用したりするのに好適である。
【００２９】
そして、図６のように、畝５の土６に埋設して使用する場合は、ヒータ部材３における赤外線反射部３ｄを設けたフィルム３ｃ面を、半円筒状本体２の外側面に当接させてヒータ部材３を装着している。
【００３０】
これにより、ヒータ部材３から放射される熱はフィルム３ｂ、保護カバー４を通過して、図６中の矢印のように、土６中に向かって放射される。
【００３１】
また、図７のように、水耕栽培における水路兼用で使用する場合は、ヒータ部材３におけるフィルム３ｂ面を、半円筒状本体２の外側面に当接させて装着している。
【００３２】
これにより、ヒータ部材３から放射される熱はフィルム３ｂ、本体部２を通過して、図７中の矢印のように、培養水７中に向かって放射される。
なお、図７中の符号８は、本体部２を支える支柱である。
【図面の簡単な説明】
【００３３】
【図１】本発明に係る農業用ヒータの一例を示す斜視図。
【図２】農業用ヒータの正面図。
【図３】農業用ヒータの一部拡大正面図。
【図４】農業用ヒータの一部拡大正面図。
【図５】ヒータ部材の正面図。
【図６】農業用ヒータの一使用例を示す図。
【図７】農業用ヒータの一使用例を示す図。
【符号の説明】
【００３４】
１  農業用ヒータ
２  半円筒状本体
２ａ  折り返し端部
２ｂ  軟質部
３  ヒータ部材
３ａ  面状発熱シート
３ｂ  フィルム
３ｃ  フィルム
３ｄ  赤外線反射部
４  保護カバー
４ａ  基部
５  畝
６  土
７  培養水
８  支柱
【図１】
2008079572.tif 000003
【図２】
2008079572.tif 000004
【図３】
2008079572.tif 000005
【図４】
2008079572.tif 000006
【図５】
2008079572.tif 000007
【図６】
2008079572.tif 000008
【図７】
2008079572.tif 000009